(57)【要約】【課題】過開き時にストッパにかかる負荷を低減することができるグラブボックスを得る。【解決手段】グラブボックス１６が引き出される場合、ボックス本体２０が下部の軸２８回りに回転移動し、ストッパ３４がインパネロア１４と干渉することで、ボックス本体２０の回転移動量が制限される。ここで、ストッパ３４は、背面板部２０Ｄの上端部に設けられており、従来構造と比べて、グラブボックス１６の回転中心２８Ｘに対するストッパ３４のモーメントアーム長Ｌ２を長くすることができるので、過開き時にストッパ３４にかかる負荷を低減することができる。【選択図】図２
2007203811.tif 000002
【特許請求の範囲】
【請求項１】
上部に開口部が形成されると共に、下部の軸回りに回転移動して引き出し可能なボックス本体と、
前記ボックス本体の上部における該ボックス本体の引出し側と反対側に設けられ、周辺部材と干渉することで、前記ボックス本体の回転移動量を制限するストッパと、
を有することを特徴とするグラブボックス。
【請求項２】
前記ボックス本体には、該ボックス本体の前記開口部を補強する補強手段が設けられ、前記補強手段に隣接して前記ストッパが設けられることを特徴とする請求項１記載のグラブボックス。
【請求項３】
前記補強手段は、前記ボックス本体の引出し側の方向へ向けて開放した断面コ字状の補強部を備え、前記補強部の上方に隣接して前記ストッパが設けられることを特徴とする請求項２記載のグラブボックス。
【請求項４】
前記ボックス本体を回転移動させる際の操作力入力部として使用可能な操作部が、前記ボックス本体における該ボックス本体の引出し側に設けられ、
グラブボックス正面視で、前記ストッパにおける前記ボックス本体の幅方向位置は、前記操作部における前記ボックス本体の幅方向位置の両側とされることを特徴とする請求項１から３のいずれか一項に記載のグラブボックス。
【発明の詳細な説明】
【技術分野】
【０００１】
本発明は、上部に開口部が形成されて回転移動により引き出し可能なグラブボックスに関する。
【背景技術】
【０００２】
グラブボックスにおいては、下部の軸回りに回転移動して手前側に引き出し可能とされるものがある（例えば、特許文献１参照）。このようなグラブボックスでは、グラブボックスを引き出した状態で保持するために、グラブボックスの側面にストッパを取り付け、ストッパをサイドウォールに当てることで、グラブボックスの回転移動を制限した状態としている。
【０００３】
しかし、この従来のグラブボックスでは、ユーザがグラブボックスを引出し限度以上に無理に開こうとしてしまった場合（過開き時）にストッパにかかる負荷が大きくなる。
【特許文献１】実開平６−６９００４号公報
【発明の開示】
【発明が解決しようとする課題】
【０００４】
本発明は、上記事実を考慮して、過開き時にストッパにかかる負荷を低減することができるグラブボックスを提供することを課題とする。
【課題を解決するための手段】
【０００５】
請求項１に記載する本発明のグラブボックスは、上部に開口部が形成されると共に、下部の軸回りに回転移動して引き出し可能なボックス本体と、前記ボックス本体の上部における該ボックス本体の引出し側と反対側に設けられ、周辺部材と干渉することで、前記ボックス本体の回転移動量を制限するストッパと、を有することを特徴とする。
【０００６】
請求項１に記載する本発明のグラブボックスによれば、グラブボックスが引き出される場合、ボックス本体が下部の軸回りに回転移動し、ストッパが周辺部材と干渉することで、ボックス本体の回転移動量が制限される。ここで、ストッパは、ボックス本体の上部におけるボックス本体の引出し側と反対側に設けられているので、従来構造と比べてグラブボックスの回転中心に対するストッパのモーメントアーム長を長くすることができる。従って、ユーザがグラブボックスを引出し限度以上に無理に開こうとしてしまった場合（過開き時）に、ストッパにかかる負荷そのものを低減することができる。
【０００７】
請求項２に記載する本発明のグラブボックスは、請求項１記載の構成において、前記ボックス本体には、該ボックス本体の前記開口部を補強する補強手段が設けられ、前記補強手段に隣接して前記ストッパが設けられることを特徴とする。
【０００８】
請求項２に記載する本発明のグラブボックスによれば、ボックス本体の開口部が補強手段によって補強されるので、ユーザがグラブボックスを引出し限度以上に無理に開こうとしてしまった場合（過開き時）であっても、ボックス本体の開口部が変形しにくい。
【０００９】
請求項３に記載する本発明のグラブボックスは、請求項２記載の構成において、前記補強手段は、前記ボックス本体の引出し側の方向へ向けて開放した断面コ字状の補強部を備え、前記補強部の上方に隣接して前記ストッパが設けられることを特徴とする。
【００１０】
請求項３に記載する本発明のグラブボックスによれば、補強部は、ストッパの下方において、ボックス本体の引出し側の方向へ向けて開放した断面コ字状となっているので、ボックス本体の容量が大きくなり、断面コ字状の内側部分をボックス本体の収納部の一部として利用することができる。また、断面コ字状の補強部は、ボックス本体の引出し側の方向へ向けて開放しており、過開き力により負荷の作用する方向とほぼ同様の方向に上下一対の板部が延びることになるので、過開き力によって、ストッパを支点とした力が作用してもボックス本体の上部の撓みが抑えられる。
【００１１】
請求項４に記載する本発明のグラブボックスは、請求項１から３のいずれか一項に記載の構成において、前記ボックス本体を回転移動させる際の操作力入力部として使用可能な操作部が、前記ボックス本体における該ボックス本体の引出し側に設けられ、グラブボックス正面視で、前記ストッパにおける前記ボックス本体の幅方向位置は、前記操作部における前記ボックス本体の幅方向位置の両側とされることを特徴とする。
【００１２】
請求項４に記載する本発明のグラブボックスによれば、ボックス本体を回転移動させる際には、操作部に操作力が入力される。ここで、グラブボックス正面視で、ストッパにおけるボックス本体の幅方向位置は、操作部におけるボックス本体の幅方向位置の両側となっており、グラブボックスが引き出された場合には、ストッパによってボックス本体が幅方向両側で支持されるので、幅方向の剛性感が得られる。
【発明の効果】
【００１３】
以上説明したように、本発明に係る請求項１に記載のグラブボックスによれば、過開き時にストッパにかかる負荷そのものを低減することできるという優れた効果を有する。
【００１４】
請求項２に記載のグラブボックスによれば、過開き時にボックス本体の開口部の変形を抑えることができるという優れた効果を有する。
【００１５】
請求項３に記載のグラブボックスによれば、ボックス本体への収納量を増やすことができると共に、過開き時にストッパを支点とした力が作用してもボックス本体の上部が撓みにくいという優れた効果を有する。
【００１６】
請求項４に記載のグラブボックスによれば、グラブボックスの引出し時に幅方向の剛性感が得られるという優れた効果を有する。
【発明を実施するための最良の形態】
【００１７】
本発明におけるグラブボックスの実施の形態を図面に基づき説明する。なお、図中の矢印ＵＰは車両の上方向、矢印ＤＮは車両の下方向、矢印ＦＲは車両の前方向、矢印ＲＥは車両の後方向、矢印ＩＮは車幅内側方向をそれぞれ示す。
【００１８】
（実施形態の構成）
図１に示されるように、インストルメントパネル１０は、インパネ上部側を構成するインパネアッパ１２と、インパネ下部側を構成するインパネロア１４と、を備えている。インパネロア１４には、開口した収納部１４Ａが形成されており、この収納部１４Ａから出し入れされるグラブボックス１６が取り付けられている。グラブボックス１６は、主に小物入れ容器として使用され、上部に開口部１８が形成された箱状のボックス本体２０を備えている。このボックス本体２０は、合成樹脂製とされ、車室内側に配置される略板状のグラブボックスアウタ２２と、グラブボックス１６が収納された状態でインパネロア１４内に配置されるグラブボックスインナ２４とが所謂振動溶着（高周波溶着若しくは超音波溶着）によって結合されている。これにより、ボックス本体２０は、乗員から見て手前側に配置される前板部２０Ａ、左右一対の側面板部２０Ｂ、２０Ｃ、乗員から見て奥側に配置される背面板部２０Ｄ、及び下部を形成する底部２０Ｅ（図２参照）を含んで構成されている。
【００１９】
図２に示されるように、ボックス本体２０の底部２０Ｅには、円弧凹状部を備えた取付部２６が形成され、この取付部２６は、車幅方向（図２では、紙面に垂直な方向）に延びる軸２８に回転可能に支持されている。これにより、ボックス本体２０は、乗員が手前側（車両後方（矢印ＲＥ方向）側）に引くことによって下部の軸２８回りに回転移動して引き出し可能となり、押し込むことによって下部の軸２８回りに回転移動して収納されるようになっている。なお、図２では、ボックス本体２０の回転中心を符号２８Ｘで示す。
【００２０】
図１に示されるように、ボックス本体２０におけるボックス本体２０の引出し側、すなわち、グラブボックスアウタ２２で構成される前板部２０Ａには、車両後方側の面に操作部としての把持部３０が設けられている。把持部３０は、ボックス本体２０の幅方向（矢印２０Ｗ方向、本実施形態では、車幅方向と同じ方向）の略中央部における上端寄りに設けられ、ボックス本体２０を回転移動させる際の操作力入力部として使用可能となっている。前板部２０Ａには、把持部３０が形成される面と反対側の面に、図２に示されるロックカバー３２に覆われたロック機構（図示省略）が設けられてグラブボックス１６を閉止状態に保持できるようになっている。
【００２１】
ボックス本体２０には、ボックス本体２０の開口部１８を補強する補強手段としての補強構造部３６が設けられている。補強構造部３６は、背面板部２０Ｄにおいて、ボックス本体２０の引出し側（本実施形態では、車両後方（矢印ＲＥ方向）側）の方向へ向けて開放した断面コ字状の補強部３８を備えている。また、補強構造部３６は、背面板部２０Ｄにおける補強部３８の下方に複数（本実施形態では２本）の補強リブ４０を備えており、これらの補強リブ４０は、車両前方（矢印ＦＲ方向）側に突出している。
【００２２】
補強構造部３６における補強部３８の上方に隣接してストッパ３４が設けられている。すなわち、ストッパ３４の根元部分は、補強部３８によって補強されている。ストッパ３４は、ボックス本体２０の上端部におけるボックス本体２０の引出し側と反対側（図２の左側）、すなわち、背面板部２０Ｄの上端部に設けられており、ボックス本体２０が完全に引き出された状態では、図２及び図３に示されるように、周辺部材としてのインパネロア１４の一部と干渉することで、ボックス本体２０の回転移動量を制限するようになっている。図３に示されるように、ストッパ３４は、ボックス本体２０の幅方向（矢印２０Ｗ方向）に延びる矩形板状の当接部３４Ａを備えており、当接部３４Ａの表面がインパネロア１４との当接面となっている。また、ストッパ３４は、当接状態の当接部３４Ａを支持する複数（本実施形態では３個）の壁部３４Ｂを備えており、これらの壁部３４Ｂは、略三角板状とされて所定間隔で配置されている。ストッパ３４における当接部３４Ａの下方には、幅方向（矢印２０Ｗ方向）に延びる補強リブ３５が設けられている。グラブボックス正面視では、図１に示されるストッパ３４におけるボックス本体２０の幅方向位置（矢印２０Ｗ方向における位置）は、把持部３０におけるボックス本体２０の幅方向位置の両側（幅方向（矢印２０Ｗ方向）の外側）とされている。
【００２３】
また、図２に示されるように、グラブボックス１６の引出し状態におけるグラブボックス１６の回転中心２８Ｘ（支点）に対するストッパ３４（作用点）のモーメントアーム長Ｌ２は、従来技術のモーメントアーム長Ｌ１（すなわち、ボックス本体２０の側面に従来ストッパ（二点鎖線で図示し、符号１３４で示す）を設けた場合のグラブボックス１６の引出し状態におけるグラブボックス１６の回転中心２８Ｘ（支点）に対する従来ストッパ１３４（作用点）のモーメントアーム長Ｌ１）より長く（Ｌ２＞Ｌ１）設定されている。
【００２４】
ここで、グラブボックス１６の回転中心２８Ｘ（支点）から操作力入力点となる把持部３０（図１参照）までの距離をＬとし、グラブボックス１６の過開き状態における入力（過開き力）をＦ、ストッパ３４（作用点）での負荷をＦ２、二点鎖線で示される従来ストッパ１３４（作用点）での負荷をＦ１とすると、「てこの原理」より、Ｆ×Ｌ＝Ｆ１×Ｌ１＝Ｆ２×Ｌ２が成り立ち、Ｌ２＞Ｌ１よりＦ２＜Ｆ１となる。よって、従来ストッパ１３４に比べてストッパ３４にかかる負荷が低減されるようになっている。
【００２５】
（実施形態の作用）
次に、上記の実施形態の作用を説明する。
【００２６】
グラブボックス１６を引き出すためにボックス本体２０を回転移動させる際には、把持部３０（図１参照）が乗員によって把持されて引かれる。これにより、ボックス本体２０が下部の軸２８回りに回転移動し、ストッパ３４がインパネロア１４と干渉することで、ボックス本体２０の回転移動量が制限される。このとき、図１に示される一対のストッパ３４によってボックス本体２０が幅方向（矢印２０Ｗ方向）両側で支持されるので、幅方向（矢印２０Ｗ方向）の剛性感（しっかり感）が得られる。
【００２７】
ここで、図２に示されるように、ストッパ３４は、グラブボックス１６の回転中心２８Ｘ（支点）に対するストッパ３４（作用点）のモーメントアーム長Ｌ２が従来構造と比べて長く設定されているので、乗員がグラブボックス１６を引出し限度以上に無理に開こうとしてしまった場合（過開き時）に、ストッパ３４にかかる負荷Ｆ２そのものを低減することができる。
【００２８】
また、ボックス本体２０の開口部１８（図１参照）が補強構造部３６によって補強され、断面係数が大きくなることで剛性を高くしているので、グラブボックス１６の過開き時であっても、ボックス本体２０の開口部１８が変形しにくい。特に、断面コ字状の補強部３８は、ボックス本体２０の引出し側の方向へ向けて開放しており、過開き力Ｆにより負荷Ｆ２の作用する方向とほぼ同様の方向に上下一対の板部３８Ａ、３８Ｂが延びることになるので、過開き力Ｆによって、ストッパ３４を支点とした力が作用してもボックス本体２０の上部の撓みが抑えられる。
【００２９】
また、図１に示されるように、本実施形態では、ストッパ３４がボックス本体２０の側面板部２０Ｂ、２０Ｃに配置されず、ボックス本体２０の側方における周辺部材との間に大きな隙間を確保する必要もないので、ボックス本体２０の幅方向（矢印２０Ｗ方向）の寸法を長くすることができ、ボックス本体２０の容量拡大が可能となる。また、図２に示される補強部３８は、ストッパ３４の下方において、ボックス本体２０の引出し側の方向へ向けて開放した断面コ字状となっているので、ボックス本体２０の容量が大きくなり、断面コ字状の内側部分をボックス本体２０の収納部の一部として利用することができる。このため、ボックス本体２０は、車検証等の平板状のものを収納するのにも好適である。
【００３０】
さらに、従来ストッパ１３４は、乗員の目線方向（矢印５０Ａ方向）から見えていたが、本実施形態によれば、ストッパ３４は、インパネロア１４に隠れて乗員の目線方向（矢印５０Ｂ方向）からは見えなくなるので、見栄えが良好になる。
【００３１】
さらにまた、従来のようにストッパ１３４を側面板部２０Ｂ、２０Ｃ（図１参照）に配置する構成では、グラブボックスインナ２４の成形のために、型のスライド構造を必要とするか、又は、ストッパ１３４をグラブボックスインナ２４とは別部品にする必要があったが、本実施形態のように、ストッパ３４をボックス本体２０における背面板部２０Ｄの上部に設けることで、グラブボックスインナ２４の成形の際には、図２の矢印５２方向に型抜きできるので、型のスライド構造が不要となる。結果として、コストダウンを図ることが可能となる。
【００３２】
（その他の形態）
なお、本実施形態では、ストッパ３４が、背面板部２０Ｄの上端部（ボックス本体２０の上端部におけるボックス本体２０の引出し側と反対側）に設けられているが、例えば、上記実施形態の背面板部２０Ｄにおいて、ストッパ３４からさらに上方へ延びた突出部が設けられ、この突出部が背面板部２０Ｄの上端部とされ、ストッパが背面板部２０Ｄの上端部以外の上部とされる等のように、ストッパは、背面板部２０Ｄの上端部以外の上部に設けられてもよい。
【００３３】
また、上記実施形態では、ストッパ３４は、図１に示されるように、背面板部２０Ｄの上端部に左右計２個設けられているが、ストッパは、例えば、背面板部２０Ｄの上端部に沿って幅方向（矢印２０Ｗ方向）に延びる横長形状のものを１個設けてもよく、グラブボックスに設けるストッパの個数は、２個に限定されない。
【００３４】
さらに、上記実施形態では、図２に示されるように、ストッパ３４の当接部３４Ａとインパネロア１４とが平面同士で当接（干渉）することで、ボックス本体２０の回転移動量を制限しているが、例えば、ストッパ３４とインパネロア１４とが曲面同士で当接（干渉）したり、凹凸嵌合する等のような他の形態でストッパがボックス本体の回転移動量を制限してもよい。
【００３５】
さらにまた、上記実施形態では、補強手段として補強構造部３６が設けられるが、補強手段は、例えば、ボックス本体の開口部に沿って取り付けられる補強筒等のような他の補強手段であってもよい。
【００３６】
なお、上記実施形態の変形例として、補強部３８の開放側を車両略後方側（ボックス本体２０の引出し側）とせずに車両上方（矢印ＵＰ方向）側や車両下方（矢印ＤＮ方向）側とすることも可能である。但し、この場合には、過開き力Ｆにより負荷Ｆ２の作用する方向（車両略後方向）とほぼ同様の方向に延びる板部は、１枚となるので、上記実施形態の場合のほうが、ボックス本体２０の上部が撓みにくい。
【００３７】
また、上記実施形態の変形例として、ボックス本体２０における背面板部２０Ｄの上部を、ボックス本体２０の引出し側の方向へ向けて開放した（図２に相当する断面において）断面コ字状とし、この断面コ字状の部分を直接ストッパとしてその開放側端部をインパネロア１４と当接（干渉）することも可能である。但し、この場合には、インパネロア１４によってコ字状の開放側が塞がれることになるので、引出し状態におけるボックス本体２０の容量は、上記実施形態の場合のほうが大きくなる。
【図面の簡単な説明】
【００３８】
【図１】本発明の実施形態に係るグラブボックスが取り付けられる前の状態を示す斜視図である。
【図２】本発明の実施形態に係るグラブボックスを示す端面図である。（図１の２−２線に沿った端面図に相当する。）
【図３】本発明の実施形態におけるストッパ等を示す斜視図である。
【符号の説明】
【００３９】
１４    インパネロア（周辺部材）
１６    グラブボックス
１８    開口部
２０    ボックス本体
２８    軸
３０    把持部（操作部）
３４    ストッパ
３６    補強構造部（補強手段）
３８    補強部
【図１】
2007203811.tif 000003
【図２】
2007203811.tif 000004
【図３】
2007203811.tif 000005